(57)【要約】【課題】詰め替え不要のレジ袋を、店が提供する【解決手段】従来は、レジ担当者と顧客による２度の詰め替え作業の後、やっと買い物は終えることが出来た。これは精算の際、店から提供されるレジ袋が篭の形にそぐわないのと、その吊り手が短辺のまち部分に有することで、詰め替えを余儀なくされて、当然のこととして慣行されてきた。しかし、発想を変えて「和」の文化からその形をさぐると、かつての風呂敷の良さの如く、かなりの重量にも耐えうるし、形、大きさは中身が決めるという自由自在さももった袋、つまり商品の入れやすさと、かなりの強度と、持ち運びやすさを兼ね備えた、詰め替え不要のレジ袋が実現した。しかも、その大きさは自転車の後ろ篭の大きさにも合う。この利便性の高いレジ袋は、その折り方と接着ポイントを考案し、また高圧ポリエステルの溶着切断により、実施した。その形状から、生ゴミ袋としても再利用の用途可能性が大である。【選択図】図１
2005095524.tif 000002
【特許請求の範囲】
【請求項１】
軟質合成樹脂の広いシートを折り畳んで、底面と長方形の四側面とを有する袋体として、スーパーマーケットなどの買い物篭の内面に沿う形状に形成すると共に、長辺の両側壁に吊り手を形成し、短辺の両側壁上部には舌状部を形成したことを特徴とした、商品の詰め替え不要なレジ袋。
【請求項２】
一枚のシートから成り、長辺と短辺の側壁が溶着により箱状体を形成した請求項１記載の商品の詰め替え不要なレジ袋。
【請求項３】
溶着して二層構造となった二本のベルト状の吊り手と一枚のシートより箱状体を形成した請求項１、または請求項２記載の商品の詰め替え不要なレジ袋
【発明の詳細な説明】
【技術分野】
【０００１】
本発明は、スーパーマーケットなどの、レジ精算後の顧客による詰め替え作業の不要化をはかった、レジ袋に関する。
【背景技術】
【０００２】
従来のレジ袋は円筒形の原型を折り畳んだものを上下において切断および溶着するという、立体的な発想であり、取り出しやすく穴のあいたレジ袋がある。（例えば、特許文献１参照）
【０００３】
その材質は有毒ガスを発生しないプラスチック系高圧〜低圧ポリエチレンが主流であり、さらに環境にやさしいものへと進化しつつある。（例えば、特許文献２参照）
【０００４】
または詰め替え不要、省資源という観点から、顧客が携帯する買い物袋で「エコバック」と称するナイロン製の耐久性のあるショッピングバックや、紐やファスナー、ベルト、フック等の付いたショッピングバックが色々考案されている。（例えば、特許文献３参照）
【０００５】
【特許文献１】特開２００１−１０６２４１号公報
【特許文献２】登録実用新案  第３０６９６４２号公報
【特許文献３】登録実用新案  第３０９３１０８号公報
【０００６】
以上に述べた従来のレジ袋の問題点は、吊り手部分に二重構造を有し、相当の重量に耐えうる強度を有しながらも、買い物篭に収納不能な形状であることと、その吊り手が短辺部分にあることから、スーパーマーケットなどで食料品等の小サイズの商品を多く購入した際に、精算後の詰め替え作業を必要とする点であった。
【０００７】
先に述べた材質の特性からゴミ袋として再利用されているが、従来のレジ袋の問題点は底部に接合部分を有するため液状の物は漏れる傾向があった。
【０００８】
詰め替え不要の顧客が携帯する買い物袋の問題点は、外出先に携帯しなくてはならない、あるいは買い物袋を忘れては買い物行動が出来ないという問題点があった。
【発明の開示】
【発明が解決しようとする課題】
【０００９】
本発明は、この様な従来のレジ袋および買い物袋が有していた問題を解決しようとする物であり、スーパーマーケットなどの量販店の買い物篭に収納可能な形状を有し、かつ吊り手部分を長辺部に有することで、詰め替え作業を不要とすることを目的とするものである。
【課題を解決するための手段】
【００１０】
そして、本願発明は上記目的を達成するために、平面的発想によるもので、軟質合成樹脂の広いシートを折りたたんで、底面と長方形の四側面とを有する袋体として、スーパーマーケットなどの買い物篭の内面に沿う形状に形成すると共に、長辺の両側壁に吊り手を形成し、短辺の両側壁上部には舌状部を形成したものである。
【００１１】
その第二の課題解決手段として、一枚のシートの折り方により長辺の両側壁に多重構造の吊り手部分を形成したことにより、従来のレジ袋と同様の強度を有し、かつ商品の詰め替えを不要としたものである。
【００１２】
第三の課題解決手段として、底辺部より安定感を高めるために、溶着して二層構造となった二本のベルト状の吊り手を、一枚のシ−トより成る買い物篭の内面に沿う形状の袋体に回し、長辺部で持ち手とすることで商品の詰め替えを不要としたものである。
【発明の効果】
【００１３】
また、長辺の図１−５と共に短辺の両側壁に舌状部を形成したことにより、四方から上部をカバーした安心構造を有する物である。
【００１４】
上記第一の課題解決手段による作用は次の通りである。すなわちレジ精算の際にレジ精算者は、バーコード読み取りの後、本発明による持ち帰り用のレジ袋をはめた買い物篭に商品を移し変えるという作業により、顧客や店員による再度の詰め替え作業を不要にすることが出来る。
つまり、時間的にも労力的にも省力化が出来、顧客の利便性を高めることが出来る。
【００１５】
レジ精算者が商品を移し変える際、そのまま持ち運ぶ点から硬質で重量のある物を先に入れ、柔軟で形状を損ないやすい軽量の物を後から入れるという配慮がなされるという効果が生じる。
【００１６】
長辺の両側壁に多重構造による吊り手部分を形成したことにより、顧客の持ち運びやすさと、その形状を篭から離脱の後も変化させないことから、商品搬送の安全性を高めるという効果を発揮する。
【００１７】
以下本発明の実施例をいくつか図１〜図１４に基づいて説明する。
【実施例１】
【００１８】
図１において、１は山折り、２は谷折り、一枚のシートの四方の角を引き上げながら、まず、３の底辺部分を谷折りし、次に側面の四つ角において山折り、谷折りをすることにより、この袋体の吊り手部分の多重構造を形成する。
【００１９】
四辺の両側壁の上部に舌状形のカバー部分を設け、商品落下の危険を回避させることが出来る。（図１−５）
【００２０】
ここで、持ち手部分の図１−６を複合接着し、かつ、このグリップ部分にカラーガムテープの類の補強材を用い、袋体がその重量より手指に食いこむという弊害を緩和すると共に、袋体の強度を高めることが出来る。
【００２１】
スーパーマーケットの篭の形状は、下部より上部が広く形成されているので、商品が入れやすい。本発明の袋体はその篭に沿う形で形成されているので、レジ精算の際、商品の入れ替えがすばやく行えるという効果を発揮する。
【００２２】
図３のように、１枚のシートによって成り、風呂敷の如く全体の重量が吊り手部分に均等にかかっており、かつ長辺の側壁を図３−８に見られるように溶着することにより、箱状体を形成したことで、篭の中の商品をそのまま持ち帰ることができる。
【００２３】
一枚のシートによって成り底辺部分に接合部分を有さないことより、商品より発生する液体状の漏れの可能性が、従来のレジ袋において、必要不可欠であった小袋が必要最小限ですむという効果を発揮する。そのことからこの袋はその再利用において生ごみの袋としても利用可能性大である。
【実施例２】
【００２４】
図４のように一枚のシートより成り、まず底辺部を形成し、その長辺部において左右をベルト幅に折り返し、二層構造のベルト状のまち部分を形成する。
【００２５】
そのことにより、その袋体を底辺部から支える二層構造のベルト状の吊り手部分が形成され、重量に対する強度が増す効果が得られる。  
【００２６】
次に、その一枚のシートに四側面を設け、上部に舌状形の上部カバーを有する形状とする。
【００２７】
この１枚のシートによる袋体を装着したのを示したものが、図５である。
【実施例３】
【００２８】
図６に示すように、一枚のシートから折り返しによる二層構造のベルト状の吊り手部分の有する袋体をさらに発展させ、溶着技術の発達をかんがみるに四側面を糊代で溶着することによりシートの無駄をなくし、軽量化をはかる事も出来る。
【００２９】
以下の実施例は全て、図７に示すように山折りと溶着による二層構造を成す二本のベルト状の吊り手部分と一枚のシートから形成された買い物篭の内面の形状に沿う形の袋体である。
【実施例４】
【００３０】
先に述べたベルト状の吊り手部分を長辺部に縦に設け、４側面の接合部分にマチを有する袋体が図８である。
【００３１】
この袋体をさらに発展させ、無駄なマチ部分を溶着面に変えたものが図９に示す実施例である。
【００３２】
発想を変えて二本のベルトを、斜め十文字にクロスさせ、タックを設けるという考えで、そこに一枚のシートの枠体を当てはめ、切り取ると言う、その場合図９のようにまちがある場合と、図１０のようにまちを取り除き、のりしろを溶着すると言う二種類の実施例を考えうる。
【００３３】
図１１，１２は装着図であるが二本のベルト状の吊り手部分を別に設けるという実施例においては、その長さを長めに取り、肩から荷物を掛けられる位の長さを想定した。
【産業上の利用可能性】
【００３４】
本発明のレジ袋は、スーパーマーケットの買い物篭の形状に沿ったもので、そのまま持ち帰れることから顧客や店員の省力化が図られ、その利便性は高い。殊に、多品目をまとめ買いする顧客、身体障害者や高齢者、幼児を持つ主婦にとっても、詰め替え作業からの開放は期待されるところであるが、買い物客全てにこのレジ袋が必要とされるわけではない。よって、従来のレジ袋との併用が適切と思われる。また、ここで問題なのが、コストと価格の折り合いである。顧客へのサ−ビスとして提供することに値打ちがあるが、通常のレジ袋より大きい分確実にコストは高い。そこで、最初は無料提供し、再度本発明のレジ袋を持参の場合には、個人所有の買い物袋持参の場合と同様にポイントをつけるなど、各店がサ−ビスの個別化を図り、広告およびイメージアップに利用できる可能性を有する物である。  
【図面の簡単な説明】
【００３５】
【図１】実施例１の展開図
【図２】実施例１の装着図
【図３】実施例１の持ち帰り時の図
【図４】実施例２の展開図
【図５】実施例２の装着図
【図６】実施例３の展開図
【図７】長方形のシ−トを山折り溶着し、二層構造とした二本の吊り手
【図８】実施例４の縦型マチあり展開図
【図９】実施例４の縦型溶着タイプ
【図１０】斜め十文字マチあり展開図
【図１１】斜め十文字溶着タイプ
【図１２】図７の装着図
【図１３】図１０の装着図
【図１４】図中の符号の説明
【符号の説明】
【００３６】
１    山折り線
２    谷折り線
３    底辺部
４    側面部
５    上部カバー（舌状体）
６    持ち手部分  複合接着部分Ｘ−Ｘ’（Ｙ−Ｙ’）
７    吊り手部分
８    溶着線
９    のりしろ溶着部
【図１】
2005095524.tif 000003
【図２】
2005095524.tif 000004
【図３】
2005095524.tif 000005
【図４】
2005095524.tif 000006
【図５】
2005095524.tif 000007
【図６】
2005095524.tif 000008
【図７】
2005095524.tif 000009
【図８】
2005095524.tif 000010
【図９】
2005095524.tif 000011
【図１０】
2005095524.tif 000012
【図１１】
2005095524.tif 000013
【図１２】
2005095524.tif 000014
【図１３】
2005095524.tif 000015
【図１４】
2005095524.tif 000016